(57)【特許請求の範囲】
【請求項１】
内燃機関（１１）のクランク軸（１２）に対するカム軸（１６）の回転位相（以下「カム軸位相」という）を変化させてバルブタイミングを調整する油圧駆動式の可変バルブタイミング装置（１８）と、
前記カム軸位相を所定のロック位相でロックするロック位置と前記カム軸位相のロックを解除するロック解除位置との間を移動可能なロックピン（３０，３１）を有するロック機構（２８）と、
前記可変バルブタイミング装置（１８）及び前記ロック機構（２８）を駆動する油圧を制御する油圧制御弁（４０）と、
前記油圧制御弁（４０）の制御モードを、前記可変バルブタイミング装置（１８）の進角室（２６）に作動油を供給して前記カム軸位相を進角させる進角モードと、前記可変バルブタイミング装置（１８）の遅角室（２７）に作動油を供給して前記カム軸位相を遅角させる遅角モードと、前記進角室（２６）及び前記遅角室（２７）の油圧を保持して前記カム軸位相を保持する保持モードと、前記ロック機構（２８）の油圧室（３５）の油圧を抜いて前記ロックピン（３０，３１）を前記ロック位置に移動させるロックモードと、前記ロックピン（３０，３１）の前記ロック位置への移動により形成される空間部（以下「背面空間部」という）（３９）に作動油を充填する充填モードとの間で切り換える制御手段（２１）とを備えた内燃機関の可変バルブタイミング制御装置において、
前記制御手段（２１）は、前記カム軸位相のロック要求が発生したときに、前記ロックモードに切り換えて前記ロックピン（３０，３１）を前記ロック位置に移動させた状態で、前記充填モードに切り換えて前記背面空間部（３９）に作動油を充填した後に前記ロックモードに戻すロック時充填制御を実行するものであり、
前記背面空間部への作動油の充填は、前記ロックピンの前記ロック位置への移動が完了した後に開始されることを特徴とする内燃機関の可変バルブタイミング制御装置。
【請求項２】
前記制御手段（２１）は、前記充填モード時に、前記進角室（２６）と前記遅角室（２７）とが連通した状態で前記進角室（２６）と前記遅角室（２７）のうちの一方に作動油を供給することで、前記背面空間部を介して前記進角室（２６）と前記遅角室（２７）の両方に作動油を充填することを特徴とする請求項１に記載の内燃機関の可変バルブタイミング制御装置。
【請求項３】
前記制御手段（２１）は、前記カム軸位相のロック要求が解除されるまで、所定期間が経過する毎に前記ロック時充填制御を繰り返し実行することを特徴とする請求項１又は２に記載の内燃機関の可変バルブタイミング制御装置。
【請求項４】
前記制御手段（２１）は、前記内燃機関（１１）の回転速度と前記作動油の温度のうちの少なくとも一方に応じて前記所定期間を設定することを特徴とする請求項３に記載の内燃機関の可変バルブタイミング制御装置。
【請求項５】
前記制御手段（２１）は、前記カム軸位相のロック要求が発生したときに、前記ロックモードに切り換える前に、前記進角室（２６）と前記遅角室（２７）のうち前記充填モードで最初に作動油が充填される油圧室と反対側の油圧室に作動油を供給するモードに切り換えることを特徴とする請求項２に記載の内燃機関の可変バルブタイミング制御装置。
【請求項６】
内燃機関（１１）のクランク軸（１２）に対するカム軸（１６）の回転位相（以下「カム軸位相」という）を変化させてバルブタイミングを調整する油圧駆動式の可変バルブタイミング装置（１８）と、
前記カム軸位相を所定のロック位相でロックするロック位置と前記カム軸位相のロックを解除するロック解除位置との間を移動可能なロックピン（３０，３１）を有するロック機構（２８）と、前記可変バルブタイミング装置（１８）及び前記ロック機構（２８）を駆動する油圧を制御する油圧制御弁（４０）と、
前記油圧制御弁（４０）の制御モードを、前記可変バルブタイミング装置（１８）の進角室（２６）に作動油を供給して前記カム軸位相を進角させる進角モードと、前記可変バルブタイミング装置（１８）の遅角室（２７）に作動油を供給して前記カム軸位相を遅角させる遅角モードと、前記進角室（２６）及び前記遅角室（２７）の油圧を保持して前記カム軸位相を保持する保持モードと、前記ロック機構（２８）の油圧室（３５）の油圧を抜いて前記ロックピン（３０，３１）を前記ロック位置に移動させるロックモードと、前記ロックピン（３０，３１）の前記ロック位置への移動により形成される空間部（以下「背面空間部」という）（３９）に作動油を充填する充填モードとの間で切り換える制御手段（２１）とを備えた内燃機関の可変バルブタイミング制御装置において、
前記制御手段（２１）は、前記内燃機関（１１）の停止要求が発生したときに、前記充填モードに切り換えて前記背面空間部（３９）に作動油を充填した後に前記ロックモードに戻す停止時充填制御を実行するものであり、
前記制御手段（２１）は、前記内燃機関（１１）の停止要求が発生したときに、前記ロックモードであるか否かを判定し、前記ロックモードではないと判定された場合には、前記ロックモードに切り換えて前記ロックピン（３０，３１）を前記ロック位置に移動させた状態で、前記停止時充填制御を実行するものであり、
前記背面空間部への作動油の充填は、前記ロックピンの前記ロック位置への移動が完了した後に開始されることを特徴とする内燃機関の可変バルブタイミング制御装置。
【発明の詳細な説明】
【技術分野】
【０００１】
本発明は、内燃機関のクランク軸に対するカム軸の回転位相（カム軸位相）を所定のロック位相でロックするロック機構を備えた内燃機関の可変バルブタイミング制御装置に関する発明である。
【背景技術】
【０００２】
近年、車両に搭載される内燃機関においては、出力向上、燃費節減、エミッション低減等を目的として、内燃機関のクランク軸に対するカム軸の回転位相（カム軸位相）を変化させて吸気バルブや排気バルブのバルブタイミング（開閉タイミング）を変化させる可変バルブタイミング装置を搭載したものがある。
【０００３】
油圧駆動式の可変バルブタイミング装置においては、例えば、特許文献１（特開２０１０−２８５９８６号公報）に記載されたものがある。このものは、カム軸位相を所定のロック位相でロックするロックピンを設け、例えばアイドル運転中等にカム軸位相のロック要求が発生したときに、ロックピンの作動油圧を抜いてロックピンをロック位置に移動させて嵌合穴に嵌め込むことで、カム軸位相をロックするようにしている。
【先行技術文献】
【特許文献】
【０００４】
【特許文献１】特開２０１０−２８５９８６号公報
【発明の概要】
【発明が解決しようとする課題】
【０００５】
ところで、一般に、ロックピンを嵌合穴に容易に嵌め込むことができるように、ロックピンと嵌合穴との間にはクリアランスが設けられている。このため、ロックピンを嵌合穴に嵌め込んでカム軸位相をロックした状態のときに、カム軸のトルク変動によってロックピンが嵌合穴内で振動して異音（ガタ打ち音）が発生する可能性がある。
【０００６】
そこで、本発明が解決しようとする課題は、位相ロック時のロックピンの振動による異音を抑制することができる内燃機関の可変バルブタイミング制御装置を提供することにある。
【課題を解決するための手段】
【０００７】
上記課題を解決するために、本発明は、内燃機関（１１）のクランク軸（１２）に対するカム軸（１６）の回転位相（以下「カム軸位相」という）を変化させてバルブタイミングを調整する油圧駆動式の可変バルブタイミング装置（１８）と、カム軸位相を所定のロック位相でロックするロック位置とカム軸位相のロックを解除するロック解除位置との間を移動可能なロックピン（３０，３１）を有するロック機構（２８）と、可変バルブタイミング装置（１８）及びロック機構（２８）を駆動する油圧を制御する油圧制御弁（４０）と、この油圧制御弁（４０）の制御モードを、可変バルブタイミング装置（１８）の進角室（２６）に作動油を供給してカム軸位相を進角させる進角モードと、可変バルブタイミング装置（１８）の遅角室（２７）に作動油を供給してカム軸位相を遅角させる遅角モードと、進角室（２６）及び遅角室（２７）の油圧を保持してカム軸位相を保持する保持モードと、ロック機構（２８）の油圧室（３５）の油圧を抜いてロックピン（３０，３１）をロック位置に移動させるロックモードと、ロックピン（３０，３１）のロック位置への移動により形成される空間部（以下「背面空間部」という）（３９）に作動油を充填する充填モードとの間で切り換える制御手段（２１）とを備えた内燃機関の可変バルブタイミング制御装置において、制御手段（２１）は、カム軸位相のロック要求が発生したときに、ロックモードに切り換えてロックピン（３０，３１）をロック位置に移動させた状態で、充填モードに切り換えて背面空間部（３９）に作動油を充填した後にロックモードに戻すロック時充填制御を実行するものであり、背面空間部への作動油の充填は、ロックピンのロック位置への移動が完了した後に開始されるようにしたものである。
【０００８】
本出願人の研究によると、ロックピンをロック位置に移動させてカム軸位相をロックした状態のときに、背面空間部（ロックピンのロック位置への移動により形成される空間部）が空気で満たされていると、ロックピンの振動をあまり減衰させることができず、ロックピンの振動による異音（ガタ打ち音）が大きくなることが判明した。
【０００９】
そこで、本発明では、充填モードにより背面空間部に作動油を充填できることに着目して、カム軸位相のロック要求が発生したときに、ロックモードに切り換えてロックピンをロック位置に移動させた状態で、充填モードに切り換えて背面空間部に作動油を充填した後にロックモードに戻すロック時充填制御を実行するようにしている。
【００１０】
このようにすれば、位相ロック時（ロックピンをロック位置に移動させてカム軸位相をロックした状態のとき）に、ロック時充填制御によって背面空間部に作動油を充填してロックピンの周辺部を作動油で満たすことができる。これにより、位相ロック時にカム軸のトルク変動によってロックピンの振動が発生しても、背面空間部に充填された作動油（ロックピンの周辺部の作動油）のダンピング効果によってロックピンの振動を減衰させることができ、位相ロック時のロックピンの振動による異音（ガタ打ち音）を抑制することができる。
【００１１】
また、制御手段（２１）は、内燃機関（１１）の停止要求が発生したときに、充填モードに切り換えて背面空間部（３９）に作動油を充填した後にロックモードに戻す停止時充填制御を実行するようにしても良い。このようにすれば、次回のエンジン始動時（例えばアイドルストップ後の始動時）における位相ロック時のロックピンの振動による異音（ガタ打ち音）を抑制することができる。
【図面の簡単な説明】
【００１２】
【図１】図１は本発明の実施例１における可変バルブタイミング制御システムの概略構成を示す図である。
【図２】図２（ａ）はロック解除状態を示す中間ロック機構の断面図であり、図２（ｂ）はロック状態を示す中間ロック機構の断面図である。
【図３】図３は油圧制御弁の制御モードを説明する図である。
【図４】図４は実施例１のロック時充填制御の実行例を示すタイムチャートである。
【図５】図５は実施例１のロック時充填制御を説明する図である。
【図６】図６は実施例１のロック時充填制御ルーチンの処理の流れを示すフローチャートである。
【図７】図７は実施例２のロック時充填制御の実行例を示すタイムチャートである。
【図８】図８は実施例２のロック時充填制御ルーチンの処理の流れを示すフローチャートである。
【図９】図９は実施例３のロック時充填制御の実行例を示すタイムチャートである。
【図１０】図１０は実施例３のロック時充填制御を説明する図である。
【図１１】図１１は実施例３のロック時充填制御ルーチンの処理の流れを示すフローチャートである。
【図１２】図１２は実施例４の停止時充填制御の実行例を示すタイムチャートである。
【図１３】図１３は実施例４の停止時充填制御ルーチンの処理の流れを示すフローチャートである。
【発明を実施するための形態】
【００１３】
以下、本発明を実施するための形態を具体化した幾つかの実施例を説明する。
【実施例１】
【００１４】
本発明の実施例１を図１乃至図６に基づいて説明する。
まず、図１に基づいて可変バルブタイミング制御システムの概略構成を説明する。
内燃機関であるエンジン１１は、クランク軸１２からの動力がタイミングチェーン１３（又はタイミングベルト）より各スプロケット１４，１５を介して吸気側カム軸１６と排気側カム軸１７とに伝達されるようになっている。吸気側カム軸１６には、油圧駆動式の可変バルブタイミング装置１８が設けられ、この可変バルブタイミング装置１８によってクランク軸１２に対する吸気側カム軸１６の回転位相（以下「カム軸位相」という）を変化させることで、吸気側カム軸１６によって開閉駆動される吸気バルブ（図示せず）のバルブタイミング（開閉タイミング）を変化させるようになっている。
【００１５】
また、吸気側カム軸１６の外周側には、特定のカム角でカム角信号を出力するカム角センサ１９が設置され、クランク軸１２の外周側には、所定クランク角毎にクランク角信号を出力するクランク角センサ２０が設置されている。このクランク角センサ２０の出力信号に基づいてエンジン回転速度が検出され、カム角センサ１９の出力信号とクランク角センサ２０の出力信号とに基づいて実カム軸位相（実バルブタイミング）が検出される。
【００１６】
これらのセンサ１９，２０や他の各種センサ（例えば、スロットル開度センサ、吸気圧センサ、冷却水温センサ等）の出力は、電子制御ユニット（以下「ＥＣＵ」と表記する）２１に入力される。このＥＣＵ２１は、マイクロコンピュータを主体として構成され、内蔵されたＲＯＭ（記憶媒体）に記憶された各種のエンジン制御用のプログラムを実行することで、エンジン運転状態に応じて、燃料噴射量、点火時期、スロットル開度（吸入空気量）等を制御する。
【００１７】
また、ＥＣＵ２１は、エンジン運転状態等に応じて目標カム軸位相（目標バルブタイミング）を算出し、実カム軸位相（実バルブタイミング）を目標カム軸位相に一致させるように可変バルブタイミング装置１８を駆動する油圧を制御する。
【００１８】
可変バルブタイミング装置１８のハウジング２２は、スプロケット１４と一体的に回転するように設けられ、スプロケット１４とハウジング２２がクランク軸１２と同期して回転する。一方、ハウジング２２内に配置されたロータ２３は、吸気側カム軸１６と一体的に回転するように設けられている。また、ハウジング２２の内部には複数のベーン収納室２４が形成されると共に、ロータ２３の外周部には複数のベーン２５が形成され、各ベーン収納室２４がそれぞれベーン２５によって進角室２６（進角用の油圧室）と遅角室２７（遅角用の油圧室）とに区画されている。
【００１９】
また、可変バルブタイミング装置１８には、カム軸位相を所定のロック位相でロックするロック機構２８が、いずれか一つ（又は複数）のベーン２５に設けられている。ここで、ロック位相は、カム軸位相の調整可能範囲の最遅角位置と最進角位置との間（例えば略中間）に位置する中間ロック位相（例えばエンジン１１の始動に適したカム軸位相）に設定されている。尚、ロック位相は、中間ロック位相に限定されず、カム軸位相の調整可能範囲の最遅角位置や最進角位置に設定しても良い。
【００２０】
次に、図２に基づいてロック機構２８の構成を説明する。
図２に示すように、いずれか一つ（又は複数）のベーン２５には、ロックピン収容孔２９が設けられ、このロックピン収容孔２９に、ハウジング２２とロータ２３（ベーン２５）との相対回動をロックするためのロックピンとしてインナーピン３０及びアウターピン３１が収容されている。ロックピン収容孔２９の中心側にインナーピン３０が配置され、このインナーピン３０の外周側にアウターピン３１が配置されている。これらのロックピン（インナーピン３０及びアウターピン３１）は、カム軸位相をロック位相でロックするロック位置［図２（ｂ）参照］と、カム軸位相のロックを解除するロック解除位置［図２（ａ）参照］との間を移動可能に設けられ、それぞれスプリング３２，３３によってロック方向（ロック位置に向かう方向）に付勢されている。
【００２１】
図２（ｂ）に示すように、ロックピン（インナーピン３０及びアウターピン３１）がロック位置に移動して、インナーピン３０の先端部がハウジング２２の嵌合穴３４に嵌まり込むことで、ハウジング２２とロータ２３（ベーン２５）との相対回動が阻止されて、カム軸位相がロック位相でロックされるようになっている。
【００２２】
一方、図２（ａ）に示すように、ロックピン（インナーピン３０及びアウターピン３１）がロック解除位置に移動して、インナーピン３０の先端部がハウジング２２の嵌合穴３４から抜け出ることで、ハウジング２２とロータ２３（ベーン２５）との相対回動が許容されて、カム軸位相のロックが解除されるようになっている。
【００２３】
また、ロックピン収容孔２９内のうちアウターピン３１に対してスプリング３３と反対側には、ロックピン収容孔２９の内周面とインナーピン３０の外周面とアウターピン３１等によって囲まれたロック解除用油圧室３５が形成されている。更に、ベーン２５には、大気側とロックピン収容孔２９とを連通させる大気連通路３６と、進角室２６とロックピン収容孔２９とを連通させる進角連通路３７と、遅角室２７とロックピン収容孔２９とを連通させる遅角連通路３８が形成されている。
【００２４】
図２（ａ）に示すように、ロック解除用油圧室３５に作動油を充填してロック解除用油圧室３５の油圧を上昇させると、その油圧によってアウターピン３１がロック解除方向（ロック解除位置に向かう方向）に移動すると共に、インナーピン３０の鍔部がアウターピン３１に押されてインナーピン３０がロック解除方向に移動して、インナーピン３０及びアウターピン３１がロック解除位置に移動する。これにより、インナーピン３０の先端部がハウジング２２の嵌合穴３４から抜け出て、カム軸位相のロックが解除される（ハウジング２２とロータ２３との相対回動が許容される）。また、インナーピン３０及びアウターピン３１がロック解除位置に移動すると、アウターピン３１によって連通路３６〜３８が閉鎖される。
【００２５】
一方、図２（ｂ）に示すように、ロック解除用油圧室３５の油圧を抜くと、スプリング３３のバネ力によってアウターピン３１がロック方向に移動すると共に、スプリング３２のバネ力によってインナーピン３０がロック方向に移動して、インナーピン３０及びアウターピン３１がロック位置に移動する。これにより、インナーピン３０の先端部がハウジング２２の嵌合穴３４に嵌まり込んで、カム軸位相がロック位相でロックされる（ハウジング２２とロータ２３との相対回動が阻止される）。
【００２６】
また、インナーピン３０及びアウターピン３１がロック位置に移動する際には、まず、アウターピン３１によって大気連通路３６が開放されて、インナーピン３０及びアウターピン３１のロック位置への移動により形成される空間部（以下「背面空間部」という）３９に大気（空気）が導入される。これにより、インナーピン３０及びアウターピン３１が円滑に移動することができる。更に、アウターピン３１によって進角連通路３７及び遅角連通路３８が開放されて、背面空間部３９を介して進角室２６と遅角室２７とが連通した状態になる。
【００２７】
図１に示すように、可変バルブタイミング装置１８及び中間ロック機構２８を駆動する油圧を制御する油圧制御弁４０は、カム軸位相を駆動する油圧を制御する位相制御用の油圧制御機能とロックピンを駆動する油圧を制御するロック制御用の油圧制御機能とを一体化した油圧制御弁（例えば電磁駆動式のスプール弁）により構成されている。エンジン１１の動力によって駆動されるオイルポンプ４１より、オイルパン４２内のオイル（作動油）が汲み上げられて油圧制御弁４０に供給される。
【００２８】
図３に示すように、油圧制御弁４０の制御量（スプールストローク）は、ロックモードと充填モードと進角モードと保持モードと遅角モードの五つの制御領域に区分されている。ＥＣＵ２１（制御手段）は、油圧制御弁４０の制御モードをロックモードと充填モードと進角モードと保持モードと遅角モードとの間で切り換えて、油圧制御弁４０の制御量をその制御モードの制御領域内に設定する。
【００２９】
ロックモード［図５（ａ）参照］の制御領域では、ロック解除用油圧室３５に連通するピンポートをドレンポートに接続してロック解除用油圧室３５の油圧を抜いて、スプリング３２，３３によってロックピン（インナーピン３０及びアウターピン３１）をロック位置に移動させる。これにより、インナーピン３０の先端部が嵌合穴３４に嵌まり込んでカム軸位相がロック位相でロックされると共に、背面空間部３９を介して進角室２６と遅角室２７とが連通した状態になる。
【００３０】
充填モードの制御領域［図５（ｂ）参照］では、ロック解除用油圧室３５に連通するピンポートをドレンポートに接続したままにしてロックピン（インナーピン３０及びアウターピン３１）をロック位置に保持することで、カム軸位相をロックした状態に保持すると共に、背面空間部３９を介して進角室２６と遅角室２７とが連通した状態に保持する。この状態で、進角室２６に連通する進角ポートを供給ポートに接続して進角室２６に作動油を供給して、進角室２６と遅角室２７の両方に作動油を充填する（この際、背面空間部３９にも作動油が充填される）。
【００３１】
ロックモードと充填モード以外の制御領域（進角モードと保持モードと遅角モードの制御領域）では、ロック解除用油圧室３５に連通するピンポートを供給ポートに接続してロック解除用油圧室３５に作動油を充填して、ロック解除用油圧室３５の油圧によってロックピン（インナーピン３０及びアウターピン３１）をロック解除位置に移動させる。これにより、インナーピン３０の先端部が嵌合穴３４から抜け出てカム軸位相のロックが解除されると共に、連通路３６〜３８が閉鎖される。
【００３２】
進角モードの制御領域では、遅角室２７に連通する遅角ポートをドレンポートに接続して遅角室２７の油圧を抜くと共に、進角室２６に連通する進角ポートを供給ポートに接続して進角室２６に作動油を供給してカム軸位相を進角させる。その際、油圧制御弁４０の制御量（スプールストローク）に応じて進角室２６への作動油の供給量を変化させてカム軸位相の進角速度を変化させる。
【００３３】
保持モードの制御領域では、進角室２６に連通する進角ポート及び遅角室２７に連通する遅角ポートとドレンポートとの接続を遮断して進角室２６及び遅角室２７の油圧を保持してカム軸位相が動かないように保持する。
【００３４】
遅角モードの制御領域では、進角室２６に連通する進角ポートをドレンポートに接続して進角室２６の油圧を抜くと共に、遅角室２７に連通する遅角ポートを供給ポートに接続して遅角室２７に作動油を供給してカム軸位相を遅角させる。その際、油圧制御弁４０の制御量（スプールストローク）に応じて遅角室２７への作動油の供給量を変化させてカム軸位相の遅角速度を変化させる。
【００３５】
ＥＣＵ２１は、エンジン運転状態等に応じて目標カム軸位相（目標バルブタイミング）を算出し、実カム軸位相（実バルブタイミング）を目標カム軸位相に一致させるように油圧制御弁４０の制御量をＦ／Ｂ制御して可変バルブタイミング装置１８の進角室２６と遅角室２７に供給する油圧をＦ／Ｂ制御する位相Ｆ／Ｂ制御を実行する。ここで、「Ｆ／Ｂ」は「フィードバック」を意味する（以下、同様）。この位相Ｆ／Ｂ制御の制御領域は、進角モードと保持モードと遅角モードの制御領域に跨がっている。
【００３６】
また、ＥＣＵ２１は、例えばアイドル運転中等にカム軸位相のロック要求が発生したときには、まず、目標カム軸位相をロック位相に設定して、位相Ｆ／Ｂ制御により実カム軸位相をロック位相（目標カム軸位相）に制御する。この後、油圧制御弁４０の制御モードをロックモードに切り換えて（油圧制御弁４０の制御量をロックモードの制御領域内に設定して）、ロックピン（インナーピン３０及びアウターピン３１）をロック位置に移動させる。これにより、インナーピン３０の先端部を嵌合穴３４に嵌め込んでカム軸位相をロック位相でロックする。
【００３７】
ところで、インナーピン３０を嵌合穴３４に容易に嵌め込むことができるように、インナーピン３０と嵌合穴３４との間にはクリアランスが設けられている。このため、インナーピン３０を嵌合穴３４に嵌め込んでカム軸位相をロックした状態のときに、カム軸１６のトルク変動によってインナーピン３０が嵌合穴３４内で振動して異音（ガタ打ち音）が発生する可能性がある。
【００３８】
上述したように、ロックピン（インナーピン３０及びアウターピン３１）がロック位置に移動する際には、アウターピン３１によって大気連通路３６が開放されて、背面空間部３９（ロックピンのロック位置への移動により形成される空間部）に大気（空気）が導入される［図５（ａ）参照］。本出願人の研究によると、ロックピン（インナーピン３０及びアウターピン３１）をロック位置に移動させてカム軸位相をロックした状態のときに、背面空間部３９が空気で満たされていると、インナーピン３０の振動をあまり減衰させることができず、インナーピン３０の振動による異音（ガタ打ち音）が大きくなることが判明した。
【００３９】
そこで、本実施例では、充填モードにより背面空間部３９に作動油を充填できることに着目して、ＥＣＵ２１により後述する図６のロック時充填制御ルーチンを実行することで、次のような制御を行う。カム軸位相のロック要求が発生したときに、ロックモードに切り換えてロックピン（インナーピン３０及びアウターピン３１）をロック位置に移動させた状態で、充填モードに切り換えて背面空間部３９に作動油を充填した後にロックモードに戻すロック時充填制御を実行する。
【００４０】
具体的には、図４に示すように、カム軸位相のロック要求が発生した時点ｔ1 （ロック要求フラグがＯＮに切り換わった時点）で、目標カム軸位相をロック位相に設定して、位相Ｆ／Ｂ制御により実カム軸位相をロック位相（目標カム軸位相）に制御する。例えば、実カム軸位相を進角させてロック位相に制御する場合には、油圧制御弁４０の制御モードを進角モードに切り換えた後に保持モードに戻す。
【００４１】
この後、実カム軸位相がロック位相とほぼ一致したと判定した時点ｔ2 で、油圧制御弁４０の制御モードをロックモードに切り換えて（油圧制御弁４０の制御量をロックモードの制御領域内に設定して）、ロックピン（インナーピン３０及びアウターピン３１）をロック位置に移動させる［図５（ａ）参照］。これにより、インナーピン３０の先端部を嵌合穴３４に嵌め込んでカム軸位相をロック位相でロックすると共に、背面空間部３９を介して進角室２６と遅角室２７とが連通した状態にする。
【００４２】
この状態で、ロック時充填制御を実行する。このロック時充填制御では、まず、油圧制御弁４０の制御モードを充填モードに切り換えて（油圧制御弁４０の制御量を充填モードの制御領域内に設定して）、進角室２６に作動油を供給して、進角室２６と遅角室２７の両方に作動油を充填すると共に背面空間部３９に作動油を充填する［図５（ｂ）参照］。この充填モードを所定時間継続した後、油圧制御弁４０の制御モードをロックモードに戻して、進角室２６への作動油の供給を停止する［図５（ｃ）参照］。
【００４３】
このロック時充填制御によって背面空間部３９に作動油を充填してインナーピン３０の周辺部（先端部と反対側の周辺部）を作動油で満たすことができ、背面空間部３９に充填された作動油（インナーピン３０の周辺部の作動油）のダンピング効果によってインナーピン３０の振動を減衰させることができる。
【００４４】
以下、本実施例１でＥＣＵ２１が実行する図６のロック時充填制御ルーチンの処理内容を説明する。
【００４５】
図６に示すロック時充填制御ルーチンは、ＥＣＵ２１の電源オン期間中に所定周期で繰り返し実行される。
本ルーチンが起動されると、まず、ステップ１０１で、カム軸位相のロック要求が発生したか否かを判定し、ロック要求が発生したと判定された時点で、ステップ１０２に進み、目標カム軸位相をロック位相に設定して、位相Ｆ／Ｂ制御により実カム軸位相をロック位相（目標カム軸位相）に制御する。
【００４６】
この後、ステップ１０３に進み、実カム軸位相がロック位相とほぼ一致したか否かを、例えば、実カム軸位相とロック位相との差（絶対値）が所定値以下になったか否かによって判定する。
【００４７】
このステップ１０３で、実カム軸位相がロック位相とほぼ一致したと判定された時点で、ステップ１０４に進み、油圧制御弁４０の制御モードをロックモードに切り換えて、ロックピン（インナーピン３０及びアウターピン３１）をロック位置に移動させる。これにより、インナーピン３０の先端部を嵌合穴３４に嵌め込んでカム軸位相をロック位相でロックすると共に、背面空間部３９を介して進角室２６と遅角室２７とが連通した状態にする。
【００４８】
この後、ステップ１０５，１０６でロック時充填制御を実行する。まず、ステップ１０５に進み、油圧制御弁４０の制御モードを充填モードに切り換えて、進角室２６に作動油を供給して、進角室２６と遅角室２７の両方に作動油を充填すると共に背面空間部３９に作動油を充填する。この充填モードは、所定時間（背面空間部３９に作動油を充填するのに必要な時間）継続する。この後、ステップ１０６に進み、油圧制御弁４０の制御モードをロックモードに戻して、進角室２６への作動油の供給を停止する。
この後、ステップ１０７に進み、カム軸位相のロック要求が解除されたか否かを判定し、ロック要求が解除されたと判定された時点で、本ルーチンを終了する。
【００４９】
以上説明した本実施例１では、カム軸位相のロック要求が発生したときに、ロックモードに切り換えてロックピン（インナーピン３０及びアウターピン３１）をロック位置に移動させた状態で、充填モードに切り換えて背面空間部３９に作動油を充填した後にロックモードに戻すロック時充填制御を実行するようにしている。このようにすれば、位相ロック時（ロックピンをロック位置に移動させてカム軸位相をロックした状態のとき）に、ロック時充填制御によって背面空間部３９に作動油を充填してインナーピン３０の周辺部（先端部と反対側の周辺部）を作動油で満たすことができる。これにより、位相ロック時にカム軸１６のトルク変動によってインナーピン３０の振動が発生しても、背面空間部３９に充填された作動油（インナーピン３０の周辺部の作動油）のダンピング効果によってインナーピン３０の振動を減衰させることができ、位相ロック時のインナーピン３０の振動による異音（ガタ打ち音）を抑制することができる。
【実施例２】
【００５０】
次に、図７及び図８を用いて本発明の実施例２を説明する。但し、前記実施例１と実質的に同一部分については説明を省略又は簡略化し、主として前記実施例１と異なる部分について説明する。
【００５１】
本実施例２では、ＥＣＵ２１により後述する図８のロック時充填制御ルーチンを実行することで、図７に示すように、カム軸位相のロック要求が発生したときに、ロックモードに切り換えた状態で、ロック時充填制御を実行した後、ロック要求が解除されるまで、所定時間が経過する毎にロック時充填制御を繰り返し実行するようにしている。
【００５２】
以下、本実施例２でＥＣＵ２１が実行する図８のロック時充填制御ルーチンの処理内容を説明する。
図８に示すロック時充填制御ルーチンでは、まず、ステップ２０１で、カム軸位相のロック要求が発生したか否かを判定し、ロック要求が発生したと判定された時点で、ステップ２０２に進み、目標カム軸位相をロック位相に設定して、位相Ｆ／Ｂ制御により実カム軸位相をロック位相（目標カム軸位相）に制御する。
【００５３】
この後、ステップ２０３に進み、実カム軸位相がロック位相とほぼ一致したか否かを判定し、実カム軸位相がロック位相とほぼ一致したと判定された時点で、ステップ２０４に進み、油圧制御弁４０の制御モードをロックモードに切り換えて、ロックピン（インナーピン３０及びアウターピン３１）をロック位置に移動させる。
【００５４】
この後、ロック時充填制御を実行する。まず、ステップ２０５で、油圧制御弁４０の制御モードを充填モードに切り換えて、進角室２６に作動油を供給して、進角室２６と遅角室２７の両方に作動油を充填すると共に背面空間部３９に作動油を充填した後、ステップ２０６で、油圧制御弁４０の制御モードをロックモードに戻す。
【００５５】
この後、ステップ２０７に進み、所定時間（ロック時充填制御を定期的に実行する際の時間間隔）を設定する。具体的には、所定時間のマップ（図示せず）を参照して、エンジン回転速度と油温（作動油の温度）に応じた所定時間を設定する。ここで、エンジン回転速度が高いほど背面空間部３９内の作動油が抜け易くなり、また、油温が高い（つまり作動油の粘度が低い）ほど背面空間部３９内の作動油が抜け易くなる傾向がある。このような特性を考慮して、所定時間のマップは、エンジン回転速度が高くなるほど所定時間が短くなり、また、油温が高くなるほど所定時間が短くなるように設定されている。この所定時間のマップは、予め試験データや設計データ等に基づいて作成され、ＥＣＵ２１のＲＯＭに記憶されている。
【００５６】
この後、ステップ２０８に進み、カム軸位相のロック要求が解除されたか否かを判定し、ロック要求が解除されていないと判定された場合には、ステップ２０９〜２１２の処理を繰り返し実行する。
【００５７】
まず、ステップ２０９に進み、ロック時充填制御を終了してから所定時間が経過したか否かを、ロック時充填制御を終了した時点（例えば油圧制御弁４０の制御モードをロックモードに戻した時点）からの経過時間を計測するタイマのカウント値が所定時間に到達したか否かによって判定する。このステップ２０９で、ロック時充填制御を終了してから所定時間が経過していないと判定された場合には、上記ステップ２０８に戻る。
【００５８】
その後、上記ステップ２０９で、ロック時充填制御を終了してから所定時間が経過したと判定された時点で、ロック時充填制御を実行する。まず、ステップ２１０で、油圧制御弁４０の制御モードを充填モードに切り換えて、進角室２６に作動油を供給して、進角室２６と遅角室２７の両方に作動油を充填すると共に背面空間部３９に作動油を充填した後、ステップ２１１で、油圧制御弁４０の制御モードをロックモードに戻す。この後、ステップ２１２に進み、タイマのカウント値をリセットして、上記ステップ２０８に戻る。
その後、上記ステップ２０８で、ロック要求が解除されたと判定された時点で、本ルーチンを終了する。
【００５９】
以上説明した本実施例２では、カム軸位相のロック要求が発生したときに、ロックモードに切り換えた状態で、ロック時充填制御（充填モードに切り換えて背面空間部３９に作動油を充填した後にロックモードに戻す制御）を実行した後、ロック要求が解除されるまで、所定時間が経過する毎にロック時充填制御を繰り返し実行するようにしている。これにより、カム軸位相のロック要求が比較的長く継続する場合でも、定期的にロック時充填制御を実行して背面空間部３９を作動油で満たした状態に維持することができ、且つ、充填制御を長時間継続することにより生じるエンジン油圧の低下などの弊害を最小限に留めることができるため、カム軸位相のロック要求が解除されるまで効果的に異音抑制効果を持続させることができる。
【００６０】
また、本実施例２では、エンジン回転速度と油温に応じて所定時間（ロック時充填制御を定期的に実行する際の時間間隔）を設定するようにしている。これにより、エンジン回転速度や油温に応じて、背面空間部３９内の作動油の抜け易さ（又は抜け難さ）が変化するのに対応して、所定時間を変化させて、所定時間を適正な間隔（背面空間部３９を作動油で満たした状態に維持するのに適した間隔）に設定することができる。
【００６１】
尚、上記実施例２では、エンジン回転速度と油温の両方に応じて所定時間を設定するようにしたが、これに限定されず、エンジン回転速度と油温のうちの一方のみに応じて所定時間を設定するようにしても良い。或は、所定時間を予め設定した固定値としても良い。
【実施例３】
【００６２】
次に、図９乃至図１１を用いて本発明の実施例３を説明する。但し、前記実施例１と実質的に同一部分については説明を省略又は簡略化し、主として前記実施例１と異なる部分について説明する。
【００６３】
充填モードでは、進角室２６に作動油を供給して、進角室２６、背面空間部３９、遅角室２７の順で作動油が充填されていくため、場合によっては遅角室２７に作動油を十分に充填できない可能性がある（例えば遅角室２７内に空気が残る可能性がある）。
【００６４】
そこで、本実施例３では、ＥＣＵ２１により後述する図１１のロック時充填制御ルーチンを実行することで、カム軸位相のロック要求が発生したときに、ロックモードに切り換える前に、遅角モード（進角室２６と遅角室２７のうち充填モードで最初に作動油が充填される油圧室と反対側の油圧室に作動油を供給するモード）に切り換えるようにしている。
【００６５】
具体的には、図９に示すように、カム軸位相のロック要求が発生した時点ｔ1 （ロック要求フラグがＯＮに切り換わった時点）で、目標カム軸位相を（ロック位相＋β）に設定して、位相Ｆ／Ｂ制御により実カム軸位相を（ロック位相＋β）に制御する。
【００６６】
この後、実カム軸位相が（ロック位相＋β）とほぼ一致したと判定した時点ｔ2 で、油圧制御弁４０の制御モードを遅角モードに切り換えて（油圧制御弁４０の制御量を遅角モードの制御領域内に設定して）、遅角室２７に作動油を供給して、実カム軸位相をロック位相に戻すと共に、遅角室２７に作動油を充填する［図１０（ａ）参照］。
【００６７】
この後、実カム軸位相がロック位相とほぼ一致したと判定した時点ｔ3 で、油圧制御弁４０の制御モードをロックモードに切り換えて、ロックピン（インナーピン３０及びアウターピン３１）をロック位置に移動させる［図１０（ｂ）参照］。
【００６８】
この後、ロック時充填制御を実行する。このロック時充填制御では、まず、油圧制御弁４０の制御モードを充填モードに切り換えて、進角室２６に作動油を供給して、進角室２６と遅角室２７の両方に作動油を充填すると共に背面空間部３９に作動油を充填する［図１０（ｃ）参照］。この後、油圧制御弁４０の制御モードをロックモードに戻して、進角室２６への作動油の供給を停止する。
【００６９】
以下、本実施例３でＥＣＵ２１が実行する図１１のロック時充填制御ルーチンの処理内容を説明する。
図１１に示すロック時充填制御ルーチンでは、まず、ステップ３０１で、カム軸位相のロック要求が発生したか否かを判定し、ロック要求が発生したと判定された時点で、ステップ３０２に進み、目標カム軸位相を（ロック位相＋β）に設定して、位相Ｆ／Ｂ制御により実カム軸位相を（ロック位相＋β）に制御する。
【００７０】
この後、ステップ３０３に進み、実カム軸位相が（ロック位相＋β）とほぼ一致したか否かを、例えば、実カム軸位相と（ロック位相＋β）との差（絶対値）が所定値以下になったか否かによって判定する。
【００７１】
このステップ３０３で、実カム軸位相が（ロック位相＋β）とほぼ一致したと判定された時点で、ステップ３０４に進み、油圧制御弁４０の制御モードを遅角モードに切り換えて、遅角室２７に作動油を供給して、実カム軸位相をロック位相に戻すと共に、遅角室２７に作動油を充填する。
【００７２】
この後、ステップ３０５に進み、実カム軸位相がロック位相とほぼ一致したか否かを判定し、実カム軸位相がロック位相とほぼ一致したと判定された時点で、ステップ３０６に進み、油圧制御弁４０の制御モードをロックモードに切り換えて、ロックピン（インナーピン３０及びアウターピン３１）をロック位置に移動させる。
【００７３】
この後、ロック時充填制御を実行する。まず、ステップ３０７で、油圧制御弁４０の制御モードを充填モードに切り換えて、進角室２６に作動油を供給して、進角室２６と遅角室２７の両方に作動油を充填すると共に背面空間部３９に作動油を充填した後、ステップ３０８で、油圧制御弁４０の制御モードをロックモードに戻す。
この後、ステップ３０９に進み、カム軸位相のロック要求が解除されたか否かを判定し、ロック要求が解除されたと判定された時点で、本ルーチンを終了する。
【００７４】
以上説明した本実施例３では、カム軸位相のロック要求が発生したときに、ロックモードに切り換える前に、遅角モード（進角室２６と遅角室２７のうち充填モードで最初に作動油が充填される油圧室と反対側の油圧室に作動油を供給するモード）に切り換えるようにしている。これにより、予め遅角室２７に作動油を充填しておく（遅角室２７内の空気を抜いておく）ことができるため、充填モードでは、進角室２６に作動油を供給して、進角室２６、背面空間部３９、遅角室２７の順で作動油が充填されていくという事情があっても、進角室２６と遅角室２７の両方に作動油を十分に充填した状態にすることができる。これにより、インナーピン３０の振動（ガタ打ち）の加振力も減衰させることができ、異音抑制効果を更に高めることができる。
【００７５】
尚、上記実施例３では、充填モードで進角室２６に作動油を供給するシステムに本発明を適用したため、ロック要求が発生したときに、ロックモードに切り換える前に、遅角モードに切り換えて、遅角室２７に作動油を充填するようにしている。これとは逆に、充填モードで遅角室２７に作動油を供給するシステムに本発明を適用する場合には、ロック要求が発生したときに、ロックモードに切り換える前に、進角モードに切り換えて、進角室２６に作動油を充填するようにすると良い。
【実施例４】
【００７６】
次に、図１２及び図１３を用いて本発明の実施例４を説明する。但し、前記実施例１と実質的に同一部分については説明を省略又は簡略化し、主として前記実施例１と異なる部分について説明する。
【００７７】
本実施例４では、ＥＣＵ２１により後述する図１３の停止時充填制御ルーチンを実行することで、エンジン停止要求が発生したときに、充填モードに切り換えて背面空間部３９に作動油を充填した後にロックモードに戻す停止時充填制御を実行するようにしている。
【００７８】
具体的には、図１２に示すように、エンジン停止要求が発生した時点ｔ1 （エンジン停止要求フラグがＯＮに切り換わった時点）で、油圧制御弁４０の制御モードがロックモードであるか否かを判定する。その結果、油圧制御弁４０の制御モードがロックモードであると判定された場合（図１２参照）には、その時点で、停止時充填制御を実行する。この停止時充填制御では、まず、油圧制御弁４０の制御モードを充填モードに切り換えて（油圧制御弁４０の制御量を充填モードの制御領域内に設定して）、進角室２６に作動油を供給して、進角室２６と遅角室２７の両方に作動油を充填すると共に背面空間部３９に作動油を充填する。この後、油圧制御弁４０の制御モードをロックモードに戻して、進角室２６への作動油の供給を停止する。
【００７９】
一方、油圧制御弁４０の制御モードがロックモードではないと判定された場合（図示せず）には、目標カム軸位相をロック位相に設定して、位相Ｆ／Ｂ制御により実カム軸位相をロック位相（目標カム軸位相）に制御する。この後、油圧制御弁４０の制御モードをロックモードに切り換えてロックピン（インナーピン３０及びアウターピン３１）をロック位置に移動させた状態で、停止時充填制御（充填モードに切り換えて背面空間部２９に作動油を充填した後にロックモードに戻す制御）を実行する。
【００８０】
以下、本実施例４でＥＣＵ２１が実行する図１３の停止時充填制御ルーチンの処理内容を説明する。
図１３に示す停止時充填制御ルーチンでは、まず、ステップ４０１で、エンジン停止要求が発生したか否かを判定し、エンジン停止要求が発生したと判定された時点で、ステップ４０２に進み、油圧制御弁４０の制御モードがロックモードであるか否か（カム軸位相がロック位相でロックされているか否か）を判定する。
【００８１】
このステップ４０２で、油圧制御弁４０の制御モードがロックモードである（カム軸位相がロック位相でロックされている）と判定された場合には、その時点で、停止時充填制御を実行する。まず、ステップ４０６で、油圧制御弁４０の制御モードを充填モードに切り換えて、進角室２６に作動油を供給して、進角室２６と遅角室２７の両方に作動油を充填すると共に背面空間部３９に作動油を充填した後、ステップ４０７で、油圧制御弁４０の制御モードをロックモードに戻す。
【００８２】
この後、ステップ４０８に進み、ＩＧスイッチ（イグニッションスイッチ）をＯＦＦして、エンジン１１を停止して、本ルーチンを終了する。
【００８３】
一方、上記ステップ４０２で、油圧制御弁４０の制御モードがロックモードではない（カム軸位相がロック位相でロックされていない）と判定された場合には、ステップ４０３に進み、目標カム軸位相をロック位相に設定して、位相Ｆ／Ｂ制御により実カム軸位相をロック位相（目標カム軸位相）に制御する。
【００８４】
この後、ステップ４０４に進み、実カム軸位相がロック位相とほぼ一致したか否かを判定し、実カム軸位相がロック位相とほぼ一致したと判定された時点で、ステップ４０５に進み、油圧制御弁４０の制御モードをロックモードに切り換えて、ロックピン（インナーピン３０及びアウターピン３１）をロック位置に移動させる。
【００８５】
この後、停止時充填制御を実行する。まず、ステップ４０６で、油圧制御弁４０の制御モードを充填モードに切り換えて、進角室２６に作動油を供給して、進角室２６と遅角室２７の両方に作動油を充填すると共に背面空間部３９に作動油を充填した後、ステップ４０７で、油圧制御弁４０の制御モードをロックモードに戻す。
この後、ステップ４０８に進み、ＩＧスイッチをＯＦＦして、エンジン１１を停止して、本ルーチンを終了する。
【００８６】
以上説明した本実施例４では、エンジン停止要求が発生したときに、充填モードに切り換えて背面空間部３９に作動油を充填した後にロックモードに戻す停止時充填制御を実行するようにしている。これにより、次回のエンジン始動時（例えばアイドルストップ後の始動時）における位相ロック時のインナーピン３０の振動による異音（ガタ打ち音）を抑制することができる。
【００８７】
また、本実施例４では、エンジン停止要求が発生したときに、油圧制御弁４０の制御モードがロックモードであるか否かを判定し、ロックモードではないと判定された場合には、ロックモードに切り換えてロックピンをロック位置に移動させた状態で、停止時充填制御を実行するようにしている。このようにすれば、エンジン停止要求が発生したときに、ロックモードになっていない場合（カム軸位相がロックされていない場合）でも、ロックモードに切り換えてカム軸位相をロックしてから停止時充填制御を行うことができる。
【００８８】
尚、上記各実施例１〜４は、本発明を吸気バルブの可変バルブタイミング装置に適用して具体化した実施例であるが、排気バルブの可変バルブタイミング装置に適用して実施しても良い。
【００８９】
その他、本発明は、可変バルブタイミング装置１８の構成やロック機構２８の構成や油圧制御弁４０の構成等を適宜変更しても良い等、要旨を逸脱しない範囲内で種々変更して実施できる。
【符号の説明】
【００９０】
１１…エンジン（内燃機関）、１２…クランク軸、１６…吸気側カム軸、１８…可変バルブタイミング装置、２１…ＥＣＵ（制御手段）、２６…進角室、２７…遅角室、２８…ロック機構、３０…インナーピン（ロックピン）、３１…アウターピン（ロックピン）、３５…ロック解除油圧室、３９…背面空間部、４０…油圧制御弁
【図１】
0006389727.tif 000002
【図２】
0006389727.tif 000003
【図３】
0006389727.tif 000004
【図４】
0006389727.tif 000005
【図５】
0006389727.tif 000006
【図６】
0006389727.tif 000007
【図７】
0006389727.tif 000008
【図８】
0006389727.tif 000009
【図９】
0006389727.tif 000010
【図１０】
0006389727.tif 000011
【図１１】
0006389727.tif 000012
【図１２】
0006389727.tif 000013
【図１３】
0006389727.tif 000014